(57)【特許請求の範囲】
【請求項１】
内容物が底部を有して自立可能な可撓性包装体に詰められて密封されてなる可撓性包装体詰め製品であって、
前記可撓性包装体は、開封予定位置より上方の上方部分とその下方の本体部分とに分断可能であり、
前記可撓性包装袋体の側部に、内側に入り込んだ凹状部が形成され、
前記凹状部において前記開封予定位置が当該凹状部の最も内方に入り込んだ部分である狭幅部より前記底部と逆側に位置し、
前記開封予定位置に形成された切断誘導部から当該包装体を幅方向に切断して分離された前記上方部分を開口した前記本体部分に被せられるようにした可撓性包装体詰め製品。
【請求項２】
前記上方部分側から前記狭幅部にかけて次第に幅が狭くなる傾斜領域を有し、
前記傾斜領域内に前記切断誘導部が形成された請求項１記載の可撓性包装体詰め製品。
【請求項３】
前記可撓性包装体は側縁シール部を有し、
前記開封予定位置の内縁幅が前記狭幅部の外縁幅よりも広い請求項１または２記載の可撓性詰め製品。
【請求項４】
前記切断誘導部から包装体上辺内縁までの距離が、前記切断誘導部から前記狭幅部までの距離と同等かより長い請求項１ないし３のいずれかに記載の可撓性包装体詰め製品。
【発明の詳細な説明】
【技術分野】
【０００１】
本発明は、パウチのような可撓性包装体に内容物を詰めて密封してなる可撓性包装体詰め製品に関する。
【背景技術】
【０００２】
従来、カレールー等の流動性食品をパウチ（可撓性包装体）に詰めて密封し、加熱・殺菌したレトルトパウチ食品（パウチ詰め製品）がある。このようなレトルトパウチ食品として、近年、具を除いたタレや汁等の調味液を詰めて密封したものが提案されている（特許文献１参照）。このレトルトパウチ食品では、パウチを開封して具を投入した後に、ジッパーによってパウチを再封し、電子レンジ等によってタレや汁とともに具の加熱調理がなされる。
【先行技術文献】
【特許文献】
【０００３】
【特許文献１】特開２００９−１２８３１号公報
【発明の概要】
【発明が解決しようとする課題】
【０００４】
ところで、前述した特許文献１記載のレトルトパウチ食品は、パウチ内に具を投入した後に、開口部近傍に設けられているジッパーを閉めることによって密封されるため、調味液（タレや汁等）とともに具を電子レンジ等で加熱調理する際に発生する蒸気によって当該パウチ内の圧力が上昇する。そこで、このレトルトパウチ食品では、パウチに蒸気を放出するための蒸気孔が形成されている。これにより、加熱調理に際して発生する蒸気によってパウチ内の圧力が上昇しようとしても蒸気孔から蒸気が放出されるので、必要以上に当該パウチ内の圧力が高まることがない。
【０００５】
しかしながら、前述した従来のレトルトパウチ食品は、パウチにジッパーや蒸気孔を設けなければならないためにその構造が複雑であり、製造が難しく、かつコストもかさむものとなっていた。
【０００６】
本発明は、このような事情に鑑みてなされたもので、より簡素な構成で、開封された可撓性包装体に投入された具等の追加物をもともとの内容物ともに加熱調理することのできる可撓性包装体詰め製品を提供するものである。
【課題を解決するための手段】
【０００７】
本発明に係る可撓性包装体詰め製品は、内容物が底部を有して自立可能な可撓性包装体に詰められて密封されてなる可撓性包装体詰め製品であって、前記可撓性包装体は、開封予定位置より上方の上方部分と下方の本体部分とに分断可能であり、前記可撓性包装袋体の側部に、内側に入り込んだ凹状部が形成され、前記凹状部において前記開封予定位置が当該凹状部の最も内方に入り込んだ部分である狭幅部より前記底部と逆側に位置し、前記開封予定位置に形成された切断誘導部から当該包装体を幅方向に切断して分離された前記上方部分を開口した前記本体部分に被せられるように構成される。
【０００８】
このような構成により、可撓性包装体を、切断誘導部に従って幅方向に切断すると、当該可撓性包装体は、その切断線を境として上方部分と内容物の入った本体部分とに分断される。そして、本体部分の切り口の端部からその近傍に形成される狭幅部までの部分を内側に折ることによって本体部分の開放する切り口の幅を前記上方部分の開放する切り口の幅より実質的に狭くすることができ、その状態で、内容物の入った前記本体部分の開放する切り口に前記本体部分を蓋のように容易に被せることができるようになる。
【０００９】
本発明に係る可撓性包装体詰め製品において、前記上方部分側から前記狭幅部にかけて次第に幅が狭くなる傾斜領域を有し、前記傾斜領域内に前記切断誘導部が形成された構成とすることができる。
【００１０】
これらの構成により、可撓性包装体を切断誘導部に従って幅方向に切断すると、当該可撓性包装体が傾斜領域内で幅方向に切断されるようになるので、本体部分の切り口の端部から狭幅部まで続く傾斜領域を内側に折ることによって、本体部分の開放する切り口の幅を前記上方部分の開放する切り口の幅より実質的に狭くすることができ、その状態で、内容物の入った前記本体部分の開放する切り口に前記本体部分を蓋のように容易に被せることができるようになる。
【００１１】
また、本発明に係る可撓性包装体詰め製品において、前記可撓性包装体は側縁シール部を有し、前記開封予定位置の内縁幅が前記狭幅部の外縁幅よりも広い構成とすることができる。
【００１２】
このような構成により、可撓性包装体を切断誘導部に従って切断して上方部分と本体部分とに分断した後に、切り口の端部から狭幅部までの部分を内側に折った本体部分の切り口部に容易に上方部分を被せることができるようになる。
【００１３】
また、本発明に係る可撓性包装体詰め製品において、前記切断誘導部から包装体上辺内縁までの距離が、前記切断誘導部から前記狭幅部までの距離と同等かより長い構成とすることができる。
【００１４】
このような構成により、可撓性包装体を切断誘導部に従って切断して上方部分と本体部分とに分断した後に、切り口の端部から狭幅部までの部分を内側に折った本体部分の切り口部に上方部分をより確実に被せることができるようになる。
【発明の効果】
【００１７】
本発明に係る可撓性包装体詰め製品によれば、可撓性包装体が切断によって上方部分と内容物の入った本体部分とに分断され、その内容物の入った前記本体部分の切り口の端部からその近傍に形成される狭幅部までの部分を内側に折ることによって前記上方部分を前記本体部分の切り口に蓋のように容易に被せることができるようになるので、可撓性包装体の開封後に前記本体部分に投入された具等の追加物をもともとの内容物とともに電子レンジ等で加熱調理することができるようになる。従って、従来のように、ジッパーや蒸気孔を設けることなく、より簡素な構成で、開封された可撓性包装体に投入された追加物をもともとの内容物とともに加熱調理することができるようになる。
【図面の簡単な説明】
【００１８】
【図１】本発明の第１の実施の形態に係る可撓性包装体詰め製品としてのレトルトパウチ食品の外観を示す斜視図である。
【図２】図１に示すレトルトパウチ食品のパウチが開封され、内容物の入っている本体部分に追加物が投入された状態を示す斜視図である。
【図３】図２に示すように開封されたレトルトパウチ食品におけるパウチの本体部分の切り口部分の端部が内側に折り返された状態を示す斜視図である。
【図４】図３に示す上方部分が本体部分に被せられた状態を示す斜視図である。
【図５】本発明の第２の実施の形態に係る可撓性包装体詰め製品としてのレトルトパウチ食品の外観を示す斜視図である。
【図６】本発明の第３の実施の形態に係る可撓性包装体詰め製品としてのレトルトパウチ食品の外観を示す斜視図である。
【図７】本発明の第４の実施の形態に係る可撓性包装体詰め製品としてのレトルトパウチ食品の外観を示す斜視図である。
【図８】図７に示すレトルトパウチ食品の断面構造を示す断面図である。
【図９】図７に示すレトルトパウチ食品を開封した状態を示す側面図である。
【図１０】図９に示すように切断したパウチの上方部分を本体部分に被せた状態を示す側面図である。
【図１１】図１０に示すように上方部分が被せられた本体部分内の内容物及び追加物が加熱調理される際の状態を示す側面図である。
【図１２】図７及び図８に示すレトルトパウチ食品の変形例を示す断面図である。
【図１３】本発明の第５の実施の形態に係る可撓性包装体詰め製品としてのレトルトパウチ食品の外観を示す斜視図である。
【図１４】図１３に示すレトルトパウチ食品のパウチが切断されて本体部分とそれ以外の部分とに分断され、当該レトルトパウチ食品が開封された状態を示す斜視図である。
【図１５】図１４に示すようにパウチから切り落とされた部分から更にその一部が切り落とされ、内容物の入った本体部分に追加物が投入された状態を示す斜視図である。
【図１６】上方部分を本体部分に被せた状態を示す斜視図である。
【発明を実施するための形態】
【００１９】
以下、本発明の実施の形態について図面を用いて説明する。
【００２０】
本発明の第１の実施の形態に係る可撓性包装体詰め製品は、図１に示すように構成される。この可撓性包装体詰め製品は、パウチ（可撓性包装体）にタレや汁等の調味液を詰めて密封したレトルトパウチ食品である。
【００２１】
図１において、レトルトパウチ食品１０は、底付きのパウチ１４に調味液等の流動性の内容物Ｎが詰められて密封され、自立可能な構造となっている。パウチ１４は、例えば、多層樹脂製の表シート１１、裏シート１２及び底部を構成するシート（図示略）の周囲部分をヒートシール加工して袋状に形成されている。表シート１１及び裏シート１２は、その両側外形線が、下縁から立ち上がって延び、途中で、内方に入り込んだ凹状の形状となり、その内方に入り込んだ凹状の部分から上縁まで立ち上がって延びる、外形形状を有している。このような形状の表シート１１及び裏シート１２の周囲部分をヒートシール加工することにより袋状のパウチ１４が形成されることから、パウチ１４の周囲部分には、下縁シール部１３１及び上縁シール部１３４が形成されるとともに、下縁シール部１３１の両端部から立ち上がる立ち上がり側シール部１３２ａ、１３３ａ、立ち上がり側シール部１３２ａ、１３３ａから続いて凹状に湾曲した湾曲側シール部１３２ｂ、１３３ｂ、及び湾曲側シール部１３２ｂ、１３３ｂから続いて上縁シール部１３４の端部まで延びる上側シール部１３２ｃ、１３３ｃが形成されている。このレトルトパウチ食品１０は、パウチ１４の下縁シール部１３１が足部となって自立可能となる。
【００２２】
湾曲側シール部１３２ｂ、１３３ｂの上側シール部１３２ｃ、１３３ｃとの境界部と当該湾曲側シール部１３２ｂ、１３３ｂが最も内方に入り込んでいる（破線Ｂ参照）位置との間の領域の前記境界部に近い所定位置（開封予定位置）に切欠き部１５１、１５２が形成されている。開封予定位置に形成された切欠き部１５１、１５２は、この部分からパウチ１４を幅方向に切断することを誘導する切断誘導部である。いずれかの切欠き部１５１、１５２から幅方向（破線Ａ参照）にパウチｌ４を切断することによって、パウチ１４は、前記開封予定位置より上方の上方部分１０２と、前記開封予定位置より下方の本体部分１０１とに分断することができる。
【００２３】
切欠き部１５１、１５２の形成された前記開封予定位置より下方の本体部分１０１の湾曲側シール部１３２ｂ、１３３ｂの最も内方に入り込んだ部分が、前記開封予定位置の近傍に形成される狭幅部１５５であり、この狭幅部１５５の幅（破線Ｂ参照）は、前記開封予定位置での幅（破線Ａ参照）より狭く、パウチ１４における最小の幅となっている。そして、湾曲側シール部１３２ｂ、１３３ｂにおける上側シール部１３２ｃ、１３３ｃとの境界部から狭幅部１５５までの領域は、徐々に幅が狭くなる傾斜領域であり、前述した切断誘導部としての切欠き部１５１、１５２は、当該傾斜部内に形成されている。また、パウチ１４の開封予定位置における湾曲シール部１３２ｂ、１３３ｂの内縁間の距離、即ち、開封予定位置の内縁幅Ｗｉｎは、狭幅部１５５の湾曲シール部１３２ｂ、１３３ｂの外縁間の距離の最小値、即ち、最小外縁幅Ｗｏｕｔより大きくなるように設定されている。更に、切欠き部１５１、１５２の形成された開封予定位置からパウチ１４の上縁シール部１３４の内縁までの距離Ｌ１は、前記開封予定位置（切欠き部１５１、１５２の形成位置）から狭幅部１５５までの距離Ｌ２より大きくなるように設定されている。
【００２４】
前述したレトルトパウチ食品１０は次のようにして利用される。
【００２５】
パウチ１４が、切欠き部１５１、１５２のいずれかから幅方向に切り裂かれ、図２に示すように、内容物Ｎが入った本体部分１０１とそれより上方側の上方部分１０２とに分断される。本体部分１０１は、その上縁の切り口部分が開放され、開口１５０が形成された状態となる。また、上方部分１０２は、その下縁の切り口部分が開放され、開口１６０が形成された状態となる。
【００２６】
自立している本体部分１０１の開口１５０から肉塊等の具（追加物Ｓ）が投入される。そして、本体部分１０１にもともとあった調味液等の内容物Ｎと新たに投入された具等の追加物とが、例えば、本体部分１０１をその開口１５０の形成された部分を持って振ることにより、混ぜ合わされる。
【００２７】
次いで、本体部分１０１の開口１５０を閉じるように表シート１１と裏シート１２とを合わせた状態にし、更に、本体部分１０１の切り口の、例えば、切欠き１５１のあった湾曲シール部１３２ｂ側の端部からその湾曲シール部１３２ｂの最も内方に入り込んだ位置の狭幅部１５５までの部分が図３に示すように内方に折り曲げられる。この状態で、上方部分１０２が、内容物Ｎ及び追加物Ｓの入った本体部分１０１の切り口側の上部に、図４に示すように、被せられる。
【００２８】
上記のように、本体部分１０１の切り口の湾曲シール部１３２ｂ側の端部からその湾曲シール部１３２ｂの最も内方に入り込んだ狭幅部１５５までの部分が内方に折り曲げられることにより、本体部分１０１の切り口の縁幅が上方部分１０２の切り口の幅より実質的に狭くなるので、内容物Ｎ及び追加物Ｓの入った本体部分１０１の切り口側の上部に、上方部分１０２を蓋のように容易に被せることができる。また、上方部分１０２の切り口（開封予定位置に対応）から上縁シール部１３４の内縁までの距離Ｌ１（図１参照）が本体部分１０１の切り口（開封予定位置に対応）から狭幅部１５５までの距離Ｌ２（図１参照）より大きくなるように設定されているので、上方部分１０２が本体部分１０１の切り口側の上部に確実に被さるようになる。更に、本体部分１０１の折り曲げられる部分が、切り口部分の湾曲側シール部１３２ｂ側の端部から狭幅部１５５までの部分で、上から下に傾斜する傾斜部分であることから、その折り曲げも容易なものとなる。また、上方部分１０２を完全に被せた状態では、本体部分１０１の折り曲げた部分が復元して上方部分１０２の傾斜領域に引っ掛かるので、上方部分１０２が簡単に外れてしまわないようにすることができる。
【００２９】
なお、上方部分１０２が本体部分１０１に蓋のように被さるという観点からは、上方部分１０２の切り口（開封予定位置に対応）から上縁シール部１３４の内縁までの距離Ｌ１（図１参照）は、本体部分１０１の切り口（開封予定位置に対応）から狭幅部１５５までの距離Ｌ２（図１参照）と同等であってもよい。
【００３０】
本体部分１０１に上方部分１０２が被されると（図４参照）、その状態（上方部分１０２を本体部分１０１にテープ等で固定してもよい）で、電子レンジ等によって本体部分１０１内で混ざった内容物Ｎ及び追加物Ｓが加熱調理される。このとき、本体部分１０１内で発生する蒸気は、蓋のように被された上方部分１０２によって、本体部分１０１から一気に放出されることが妨げられる。これにより、本体部分１０１（パウチ１４）内は適度な温度及び圧力に保持されて、混ざった内容物Ｎ及び追加物Ｓがうまく加熱調理されるようになる。
【００３１】
前述した第１の実施の形態に係るレトルトパウチ食品１０（可撓性包装体詰め製品）によれば、パウチ１４が切断によって上方部分１０２と内容物Ｎの入った本体部分１０１とに分断され、本体部分１０１の切り口側の上部に上方部分１０２を蓋のように容易に被せることができるようになるので、従来のように、ジッパーや蒸気孔を設けることなく、より簡素な構成であっても、開封されたパウチに投入された具等の追加物Ｓを調理液等の内容物Ｎとともに加熱調理することができるようになる。
【００３２】
本発明の第２の実施の形態に係る可撓性包装体詰め製品は、図５に示すように構成される。この可撓性包装体詰め製品も、パウチ（可撓性包装体）に予め調味液等の内容物を詰めて密封してなるレトルトパウチ食品である。なお、図５において、図１に示す部分と同じ部分については同じ参照番号が付されている。
【００３３】
このレトルトパウチ食品１０においては、表シート１１及び裏シート１２は、その両側外形線が、下縁から立ち上がって延び、所定範囲において外方に向けて傾斜し、その傾斜した範囲から続いて立ち上がるように上縁まで延びる、外形形状を有している。このような外形形状を有する表シート１１及び裏シート１２の周囲部分をヒートシール加工することにより袋状のパウチ１４が形成されることから、パウチ１４の周囲部分には、下縁シール部１３１及び上縁シール部１３４が形成されるとともに、下縁シール部１３１の両端から続いて立ち上がる立ち上がり側シール部１３２ａ、１３３ａ、立ち上がり側シール部１３２ａ、１３３ａから続いて上方に広がるように傾斜する傾斜側シール部１３２ｄ、１３３ｄ、及び傾斜側シール部１３２ｄ、１３３ｄから続いて上縁シール部１３４の端部まで延びる上側シール部１３２ｃ、１３３ｃが形成されている。
【００３４】
パウチ１４の傾斜側シール部１３２ｄ、１３３ｄと上側シール部１３２ｃ、１３３ｃとの境界位置（開封予定位置）に切断誘導部としての切欠き部１５１、１５２が形成されている。いずれかの切欠き部１５１、１５２から幅方向（破線Ａ参照）にパウチ１４を切断することによって、パウチ１４は、開封予定位置より上方の上方部分１０２と、該開封予定位置より下方の本体部分１０１とに分断することができる。
【００３５】
切欠き部１５１、１５２の形成された前記開封予定位置より下方の本体部分１０１の傾斜側シール部１３２ｄ、１３３ｄと立ち上がり側シール部１３２ａ、１３３ａとの境界部が、前記開封予定位置の近傍に形成される狭幅部１５５であり、この狭幅部１５５の幅（破線Ｂ参照）は、前記開封予定位置での幅（破線Ａ参照）より狭い。そして、切欠き部１５１、１５２の形成される傾斜側シール部１３２ｄ、１３３ｄと上側シール部１３２ｃ、１３３ｃとの境界部（開封予定位置）から狭幅部１５５までの領域は、徐々に幅が狭くなる傾斜領域である。また、パウチ１４の開封予定位置に対応する傾斜側シール部１３２ｄ、１３３ｄ上端の内縁間の距離、即ち、開封予定位置の内縁幅Ｗｉｎは、狭幅部１５５の傾斜側シール部１３２ｄ、１３３ｄ下端の外縁間の距離、即ち、最小外縁幅Ｗｏｕｔより大きくなるように設定されている。更に、切欠き部１５１、１５２の形成された開封予定位置からパウチ１４の上縁シール部１３４の内縁までの距離Ｌ１は、前記開封予定位置から狭幅部１５５の傾斜側シール部１３２ｄ、１３３ｄの下端までの距離Ｌ２より大きくなるように設定されている。
【００３６】
このようなレトルトパウチ食品１０において、パウチ１４が、切欠き部１５１、１５２のいずれかから幅方向に切断されると、内容物Ｎが入った本体部分１０１とそれより上方側の上方部分１０２とに分断される。第１の実施の形態に係るレトルトパウチ食品１０の場合と同様に（図３参照）、本体部分１０１の切り口の一方の端部、例えば、傾斜側シール部１３２ｄ側の端部から狭幅部１５５までの部分を内側に折り曲げることにより、本体部分１０１の切り口の縁幅が上方部分１０２の切り口の幅より実質的に狭くなる。従って、追加物Ｓが投入された本体部分１０１の切り口側の上部に、上方部分１０２を蓋のように容易に被せることができる。これにより、第１の実施の形態に係るレトルトパウチ食品１０の場合と同様に、本体部分１０１に上方部分１０２を被せた状態で、当該本体部分１０１内で混ざった内容物Ｎ及び追加物Ｓを電子レンジ等によって効果的に加熱調理することができる。
【００３７】
この場合も、第１の実施の形態に係るレトルトパウチ食品１０の場合と同様に、上方部分１０２の切り口（開封予定位置に対応）から上縁シール部１３４の内縁までの距離Ｌ１（図５参照）が本体部分１０１の切り口（開封予定位置に対応）から狭幅部１５５までの距離Ｌ２（図５参照）より大きくなるように設定されているので、上方部分１０２が本体部分１０１の切り口側の上部に確実に被さるようになる。また、本体部分１０１の折り曲げられる部分が、切り口部分の一方の傾斜側シール部１３２ｄ側の端部から狭幅部１５５までの部分で、上から下に傾斜した部分であることから、その折り曲げも容易なものとなる。
【００３８】
上述したように本発明の第２の実施の形態に係るレトルトパウチ食品１０（可撓性包装体詰め製品）によれば、第１の実施の形態に係るレトルトパウチ食品の場合と同様に、従来のように、ジッパーや蒸気孔を設けることなく、より簡素な構成で、開封されたパウチに投入された追加物Ｓをもともとの内容物Ｎとともに加熱調理することができるようになる。
【００３９】
本発明の第３の実施の形態に係る可撓性包装体詰め製品は、図６に示すように構成される。この可撓性包装体詰め製品も、パウチ（可撓性包装体）に予め調味液等の内容物を詰めて密封してなるレトルトパウチ食品である。なお、図６において、図１及び図５に示す部分と同じ部分については同じ参照番号が付されている。
【００４０】
このレトルトパウチ食品１０においては、表シート１１及び裏シート１２は、その両側外形線が、下縁から立ち上がって延び、途中で、外方に張り出した段差となって、その段差によって張り出した部分から更に立ち上がるように上縁まで延びる、外形形状を有している。このような形状の表シート１１及び裏シート１２の周囲部分をヒートシール加工することにより袋状のパウチ１４が形成されることから、パウチ１４の周囲部分には、下縁シール部１３１及び上縁シール部１３４が形成されるとともに、下縁シール部１３１の両端から続いて立ち上がる立ち上がり側シール部１３２ａ、１３３ａ、立ち上がり側シール部１３２ａ、１３３ａから続いて幅方向に段差を形成する段差側シール部１３２ｅ、１３３ｅ、及び段差側シール部１３２ｅ、１３３ｅから続いて上縁シール部１３４の端部まで延びる上側シール部１３２ｃ、１３３ｃが形成されている。
【００４１】
パウチ１４の上側シール部１３２ｃ、１３３ｃの段差側シール部１３２ｅ、１３３ｅとの隣接位置（開封予定位置）に切断誘導部としての切欠き部１５１、１５２が形成されている。いずれかの切欠き部１５１、１５２から幅方向（破線Ａ参照）にパウチ１４を切断することによって、パウチ１４は、開封予定位置より上方の上方部分１０２と、該開封予定位置より下方の本体部分１０１とに分断することができる。
【００４２】
切欠き部１５１、１５２の形成された前記開封予定位置より下方の本体部分１０１の立ち上がり側シール部１３２ａ、１３３ａの段差側シール部１３２ｅ、１３３ｅとの隣接部が、前記開封予定位置の近傍に形成される狭幅部１５５であり、この狭幅部１５５の幅（破線Ｂ参照）は、前記開封予定位置での幅（破線Ａ参照）より狭い。また、パウチ１４の開封予定位置に対応する上側シール部１３２ｃ、１３３ｃの段差側シール部１３２ｅ、１３３ｅとの境界部の内縁間の距離、即ち、開封予定位置の内縁幅Ｗｉｎは、狭幅部１５５の立ち上がり側シール部１３２ａ、１３３ａの段差側シール部１３２ｅ、１３３ｅとの隣接部の外縁間の距離、即ち、最小外縁幅Ｗｏｕｔより大きくなるように設定されている。更に、切欠き部１５１、１５２の形成された開封予定位置からパウチ１４の上縁シール部１３４の内縁までの距離Ｌ１は、前記開封予定位置から狭幅部１５５の立ち上がり側シール部１３２ａ、１３３ａの段差側シール部１３２ｅ、１３３ｅとの隣接部までの距離Ｌ２より大きくなるように設定されている。
【００４３】
このようなレトルトパウチ食品１０において、パウチ１４が、切欠き部１５１、１５２のいずれかから幅方向に切断されると、内容物Ｎが入った本体部分１０１とそれより上方側の上方部分１０２とに分断される。第１の実施の形態及び第２の実施の形態に係るレトルトパウチ食品１０の場合と同様に（図３参照）、本体部分１０１の切り口の一方の端部、例えば、段差側シール部１３２ｅ側の端部から狭幅部１５５までの突出する部分（段差側シール部部１３２ｅに対応）を内側に折り曲げることにより、本体部分１０１の切り口の縁幅が上方部分１０２の切り口の幅より実質的に狭くなる。従って、追加物Ｓが投入された本体部分１０１の切り口側の上部に、上方部分１０２を蓋のように容易に被せることができる。これにより、第１の実施の形態及び第２の実施の形態に係るレトルトパウチ食品１０の場合と同様に、本体部分１０１に上方部分１０２を被せた状態で、当該本体部分１０１内で混ざった内容物Ｎ及び追加物Ｓを電子レンジ等によって効果的に加熱調理することができる。
【００４４】
この場合も、第１の実施の形態及び第２の実施の形態に係るレトルトパウチ食品１０の場合と同様に、上方部分１０２の切り口（開封予定位置に対応）から上縁シール部１３４の内縁までの距離Ｌ１（図６参照）が本体部分１０１の切り口（開封予定位置に対応）から狭幅部１５５までの距離Ｌ２（図６参照）より大きくなるように設定されているので、上方部分１０２が本体部分１０１の切り口側の上部に確実に被さるようになる。また、本体部分１０１の折り曲げられる部分が、切り口部分の一方の段差側シール部１３２ｅ側の端部から突出する部分（段差側シール部１３２ｅに対応）であることから、その折り曲げも容易なものとなる。
【００４５】
上述したように本発明の第３の実施の形態に係るレトルトパウチ食品１０（可撓性包装体詰め製品）によれば、第１の実施の形態及び第２の実施の形態に係るレトルトパウチ食品の場合と同様に、従来のように、ジッパーや蒸気孔を設けることなく、より簡素な構成で、開封されたパウチに投入された追加物Ｓをもともとの内容物Ｎとともに加熱調理することができるようになる。
【００４６】
本発明の第４の実施の形態に係る可撓性包装体詰め製品は、図７及び図８に示すように構成される。この可撓性包装体詰め製品は、パウチ（可撓性包装体）に予め調味液等の内容物を詰めて密封してなるレトルトパウチ食品であって、図１に示すレトルトパウチ食品１０を変形させた構造となっている。なお、図７は、レトルトパウチ食品の外観を示す斜視図であり、図８はレトルトパウチ食品の内部構造を示す断面図である。また、図７及び図８において、図１に示す各部分と同じ部分については同じ参照番号が付されている。
【００４７】
図７及び図８に示すレトルトパウチ食品１０では、第１の実施の形態に係るレトルトパウチ食品（図６参照）と同様に、表シート１１、裏シート１２及び底部を構成するシート３１を重ねてその周囲部分をシールして袋状にした自立可能なパウチ１４の周囲部分に、下縁シール部１３１、立ち上がり側シール部１３２ａ、１３３ａ、湾曲側シール部１３２ｂ、１３３ｂ、及び上縁シール部１３４が形成されている。そして、湾曲側シール部１３２ｂ、１３３ｂの上側シール部１３２ｃ、１３３ｃとの境界部と当該湾曲側シール部１３２ｅ、１３３ｅの最も内方に入り込んだ位置の狭幅部１５５との間の領域の前記境界部に近い所定位置（開封予定位置）に切欠き部１５１、１５２が形成される。また、表シート１１の所定部位には、当該表シート１１を縦方向にたるませて折り返してなる折り返し部３２が形成され、裏シート１２の所定部位にも、同様に、当該裏シート１２を縦方向にたるませて折り返してなる折り返し部３３が形成されている。
【００４８】
このようなレトルトパウチ食品１０においては、前述した第１の実施の形態の場合（図１〜図４参照）と同様に、パウチ１４が切欠き部１５１、１５２のいずれかから切断されて、図９に示すように、内容物Ｎが入って自立した本体部分１０１と、上方部分１０２とに分断される。そして、本体部分１０１に追加物Ｓが投入された状態で、当該本体分１０１に上方部分１０２が、図１０に示すように、被される。
【００４９】
この状態で、本体部分１０１内で混ざった内容物Ｎ及び追加物Ｓが電子レンジ等によって加熱調理される。その際、上方部分１０２の被された本体部分１０１内で発生した蒸気によって内圧が上昇すると、折り返し部３２、３３が、図１１に示すように拡張して、本体部分１０１（パウチ１４）の表シート１１及び裏シート１２が大きく伸びる。そのため、本体部分１０１の容積が増大して、比較的多くの追加物Ｓを投入しても吹きこぼれることなく加熱調理することができる。なお、使用者が追加物Ｓを投入する際に折り返し部３２、３３を広げるようにしてもよい。
【００５０】
なお、この本発明の第４の実施の形態に係る図７及び図８に示すレトルトパウチ食品１０（可撓性包装体詰め製品）によれば、前述した第１乃至第３の実施の形態に係る可撓性詰め製品の場合と同様に、ジッパーや蒸気孔を設けることなく、簡素な構成で、開封されたパウチ１４（本体部分１０１）内に投入された追加物Ｓをもともとの内容物Ｎとともに電子レンジ等によって加熱調理することができるということは勿論である。
【００５１】
前述したレトルトパウチ食品１０におけるパウチ１４に形成された折り返し部３２、３３は、図１２に示すように構成することも可能である。この場合、表シート１１の所定部位には、表シート１１を縦方向にたるませて上側と下側の２か所で折り返してなる折り返し部３４が形成され、裏シート１２の表シート１１形成された折り返し部３４に対向する位置に同様の折り返し部３５が形成される。
【００５２】
このようなレトルトパウチ食品１０では、内容物Ｎ及び追加物Ｓが混ざって入るパウチ１４の本体部分１０１に上方部分１０２が被された状態で、前記内容物Ｎ及び追加物Ｓの加熱調理がなされると、第４の実施の形態の場合と同様に、本体部分１０１内で発生した蒸気によって、折り返し部３４、３５が拡張して、本体部分１０１の表シート１１及び裏シート１２が大きく伸びる。この場合、折り返し部３４、３５が、各シート１１、１２の上側と下側の２か所で折り返されて形成されているので、表シート１１及び裏シート１２がより大きく伸びる。そのため、本体部分１０１の容積が更に増大して、より多くの追加物を投入しても吹きこぼれることなく加熱調理することができる。なお、図７及び図８で示した第４の実施の形態、及び図１２で示したその変形例における折り返し部は、表シート１１あるいは裏シート１２の一方だけに設けるようにしてもよい。
【００５３】
本発明の第５の実施の形態に係る可撓性包装体詰め製品について、図１３乃至図１６を参照して説明する。この可撓性包装体詰め製品は、パウチ（可撓性包装体）に予め調味液等の内容物を詰めて密封してなるレトルトパウチ食品であって、図５に示すレトルトパウチ食品１０（第２の実施の形態）を変形させた構造となっている。なお、図１３乃至図１６において、図５に示す各部分と同じ部分については同じ参照番号が付されている。
【００５４】
図１３に示すレトルトパウチ食品１０は、立ち上がり側シール部１３２ａ、１３３ａと傾斜側シール部１３２ｄ、１３３ｄとの境界部、即ち、狭幅部１５５に他の切欠き部（以下、第２切欠き部という）１６１、１６２が形成されている点を除いて、図５に示すレトルトパウチ食品１０（第２の実施の形態）と同じ構造である。第２切欠き部１６１、１６２は、この部分からパウチ１４を幅方向に切断することを誘導する切断誘導部であって、いずれかの第２切欠き部１６１、１６２から幅方向（破線Ｂ参照）にパウチ１４を切断することができる。
【００５５】
このようなレトルトパウチ食品１０において、パウチ１４が、第２切欠き部１６１、１６２のいずれかから幅方向に切り裂かれ、図１４に示すように、内容物Ｎが入った本体部分１０１とそれより上方側の部分１０３とに分断される。本体部分１０１は、その上縁の切り口部分が開放され、開口１５０が形成された状態になる。更に、本体部分１０１から分離された部分１０３が、切欠き部１５１、１５２のいずれかから幅方向に切り裂かれ、図１５に示すように、上方部分１０２を残して、傾斜側シール部１３２ｂ、１３３ｂに対応した部分１０４が切り落とされる。上方部分１０２は、その下縁の切り口部分が開放され、開口１６０が形成された状態になる。もちろん、前述したレトルトパウチ食品１０（図１３〜図１６参照）において、まず切欠き部１５１、１５２のいずれかから切り裂き、次いで、第２切欠き部１６１、１６２のいずれかから切り裂くようにして、傾斜側シール部１３２ｂ、１３３ｂに対応した部分１０４を切り取ってもよい。
【００５６】
自立した本体部分１０１（パウチ１４）の開口１５０から肉塊等の具（追加物Ｓ）が投入される。そして、本体部分１０１にもとともとあった調味液等の内容物Ｎと新たに投入された具等の追加物Ｓとが、例えば、本体部分１０１をその開口１５０の形成された部分を持って振ることにより、混ぜ合わされる。
【００５７】
次いで、本体部分１０１の開口１５０を閉じるように表シート１１と裏シート１２とを合わせた状態にして、当該本体部分１０１の上部に上方部分１０２がその開口１６０から蓋のように被せられる。図１６に示すように、上方部分１０２を本体部分１０１にテープ１１０によって固定してもよい。第２切欠き部１６１、１６２のいずれかからの切断によって形成された本体部分１０１の切り口の幅（狭幅部１５５の幅：図１３における破線Ｂ参照）は、切欠き部１５１、１５２のいずれかからの切断によって形成された上方部分１０２の切り口の幅（図１３における破線Ｂ参照）より小さいので、内容物Ｎ及び追加物Ｓの入った本体部分１０１の切り口側の上部に、上方部分１０２を蓋のように容易に被せることができる。また、切欠き部１５１、１５２と第２切欠き部１６１、１６２との間の傾斜側シール部１３２ｂ、１３３ｂが傾斜しているので、切欠き部１５１、１５２及び第２切欠き部１６１、１６２からパウチ１４を切断する際に、切断位置が多少ずれても、本体部分１０１の切り口の幅が、蓋となる上方部分１０２の切り口の幅より小さい状態を確実に維持することができる。
【００５８】
本体部分１０１に上方部分１０２を被せた状態で、電子レンジ等によって本体部分１０１（パウチ１４）内で混ざった内容物Ｎ及び追加物が加熱調理される。このとき、本体部分１０１で発生する蒸気は、蓋のように被された最上方部分１０２によって、本体部分１０１から一気に放出されることが妨げられる。これにより、本体部分１０１（パウチ１４）内は適度な温度及び圧力に保持されて、混ざったもともとの内容物及び追加物Ｓがうまく加熱調理され得る。
【００５９】
前述した第５の実施の形態に係るレトルトパウチ食品１０（可撓性包装体詰め製品）によれば、前述した第１乃至第４の実施の形態に係る可撓性詰め製品の場合と同様に、ジッパーや蒸気孔を設けることなく、簡素な構成で、開封されたパウチ１４（本体部分１０１）内に投入された追加物Ｓをもともとの内容物Ｎとともに電子レンジ等によって加熱調理することができるようになる。
【００６０】
前述したパウチ１４は、一般的に、表シート、裏シート、及び底部を構成するシートとなる長尺のシートを重ね合わせてヒートシール加工を施した後に、個々のパウチの形状に打ち抜き加工して製造される。前述した各実施の形態においては、パウチ１４は、その両方の立ち上がり側シール部１３２ａ、１３３ａに続いて、湾曲側シール部１３２ｂ、１３３ｂ、傾斜側シール部１３２ｄ、１３３ｄ、あるいは、段差側シール部１３２ｅ、１３３ｅが形成された外形形状となっていたが、立ち上がり側シール部１３２ａ、１３３ａのいずれか一方側だけに、湾曲側シール部、傾斜側シール部、あるいは段差側シール部が続くような外形形状であってもよい。
【００６１】
また、上方部分１０２を本体部分１０１に被せる際に、本体部分１０１の切り口の両端部を内側に折り曲げるようにしてもよい。
【産業上の利用可能性】
【００６２】
以上、説明したように、本発明に係る可撓性包装体詰め製品は、より簡素な構成で、開封された可撓性包装体に投入された具等の追加物をもともとの内容物ともに加熱調理することのできるという効果を有し、パウチのような可撓性包装体に内容物を詰めて密封してなる可撓性包装体詰め製品として有用である。
【符号の説明】
【００６３】
１０  レトルトパウチ食品（可撓性包装体詰め製品）
１１  表シート
１２  裏シート
１３１  下縁シール部
１３２ａ、１３３ａ  立ち上がり側シール部
１３２ｂ、１３３ｂ  湾曲側シール部
１３２ｃ、１３３ｃ  上側シール部
１３２ｄ、１３３ｄ  傾斜側シール部
１３２ｅ、１３３ｅ  段差側シール部
１３４  上縁シール部
１４  パウチ
３１  シート（底部用）
３２、３３、３４、３５  折り返し部
１５０、１６０  開口
１５１、１５２  切欠き部（切断誘導部）
１６１、１６２  第２切欠き部（第２切断誘導部）
１０１  本体部分
１０２  上方部分
【図１】
0005464345.tif 000002
【図２】
0005464345.tif 000003
【図３】
0005464345.tif 000004
【図４】
0005464345.tif 000005
【図５】
0005464345.tif 000006
【図６】
0005464345.tif 000007
【図７】
0005464345.tif 000008
【図８】
0005464345.tif 000009
【図９】
0005464345.tif 000010
【図１０】
0005464345.tif 000011
【図１１】
0005464345.tif 000012
【図１２】
0005464345.tif 000013
【図１３】
0005464345.tif 000014
【図１４】
0005464345.tif 000015
【図１５】
0005464345.tif 000016
【図１６】
0005464345.tif 000017